(57)【要約】      （修正有）【課題】タイマ起動による運転を適切に制御する。【解決手段】入りタイマの設定時刻での判定部（４６）による判定結果が、エアコン（１２）の所定範囲内にユーザが存在である場合に、タイマ起動を行わせ、不在である場合に、タイマ起動を停止させる。【選択図】図２
2018146179.tif 000002
【特許請求の範囲】
【請求項１】
空気調和機の入りタイマの設定に基づく運転開始動作であるタイマ起動を制御する空気調和機の制御装置において、
前記空気調和機および携帯端末装置の位置情報を記憶する記憶部と、
前記空気調和機および前記携帯端末装置の位置情報から、前記空気調和機を中心とする所定範囲内での前記携帯端末装置の存在の有無を判定する判定部と、
位置情報の検知システムが検知した前記携帯端末装置の位置情報を取得する位置情報取得部と、
第１モードの動作として、前記入りタイマの設定時刻での前記判定部による判定結果が、存在である場合に、前記タイマ起動を行わせる一方、不在である場合に、前記タイマ起動を停止させる制御部とを備えていることを特徴とする空気調和機の制御装置。
【請求項２】
前記空気調和機は人感センサを備え、
前記判定部は、前記所定範囲内での前記携帯端末装置の存在の有無についての前記判定動作である第１の判定、および前記人感センサによる人の存在の有無の判定動作である第２の判定を行い、
前記制御部は、第２モードの動作として、前記第１の判定による判定結果が存在であり、かつ前記第２の判定による判定結果が存在である場合に、前記タイマ起動を行わせる一方、前記第１の判定による判定結果が不在である場合、および第２の判定結果が不在である場合に、前記タイマ起動を停止させることを特徴とする請求項１に記載の空気調和機の制御装置。
【請求項３】
前記制御部は、第３モードの動作として、前記携帯端末装置からの通知設定の登録を受け付け、前記通知設定が登録されており、かつ前記判定部による判定結果が不在である場合に、前記携帯端末装置に対し、設定済みの入りタイマによるタイマ起動、前記空気調和機の省電力運転、設定済みの入りタイマの時刻の遅い時刻への変更、および前記空気調和機の運転停止の維持のうちの少なくとも一つの選択肢を含む問い合わせのメッセージを前記携帯端末装置へ通知し、前記選択肢についての選択結果を含む前記携帯端末装置からの返信内容に応じて、前記空気調和機のタイマ起動を制御することを特徴とする請求項１に記載の空気調和機の制御装置。
【請求項４】
前記判定部は、前記携帯端末装置が複数台存在する場合に、前記空気調和機に最も近い携帯端末装置について、前記所定範囲内での前記携帯端末装置の存在の有無についての前記判定動作を行うことを特徴とする請求項１から３のいずれか１項に記載の空気調和機の制御装置。
【請求項５】
空気調和機の入りタイマの設定に基づく運転開始動作であるタイマ起動を制御する空気調和機の制御方法において、
位置情報の検知システムが検知した携帯端末装置の位置情報を取得する位置情報取得工程と、
前記空気調和機および前記携帯端末装置の位置情報から、前記空気調和機を中心とする所定範囲内での前記携帯端末装置の存在の有無を判定する判定工程と、
第１モードの動作として、前記判定工程による、前記入りタイマの設定時刻での前記所定範囲内での前記携帯端末装置の存在の有無の判定結果が、存在である場合に、前記タイマ起動を行わせる一方、不在である場合に、前記タイマ起動を停止させる制御工程とを備えていることを特徴とする空気調和機の制御方法。
【請求項６】
請求項１から３のいずれか１項に記載の空気調和機の制御装置としてコンピュータを機能させるためのプログラムであって、前記判定部、前記位置情報取得部および前記制御部としてコンピュータを機能させるためのプログラム。
【請求項７】
請求項６に記載のプログラムを記録したコンピュータ読み取り可能な記録媒体。
【発明の詳細な説明】
【技術分野】
【０００１】
本発明は、タイマ機能を有する空気調和機の制御装置に関する。
【背景技術】
【０００２】
従来の空気調和機では、タイマの設定時刻になると運転を開始するタイマ起動の機能を備えたものが一般的である。この種の空気調和機では、省エネルギーの観点から、空気調和機を設置した部屋に人がいない状態にて運転する事態を排除するための各種提案が行われている。
【０００３】
例えば、特許文献１には、タイマ起動による運転開始後、所定時間以内に人感センサ（人検知センサ）にて人が検知されない場合に、運転を停止する構成が記載されている。
【０００４】
また、特許文献２には、入タイマ設定時刻が到来しても、人感センサにて人が検知されない場合に運転を開始しない構成が開示されている。
【０００５】
一方、特許文献３には、ＧＰＳ機能によりユーザの位置を検知し、ユーザの位置が空気調和機の設置位置を中心とする一定エリア内である場合に、ユーザによる空気調和機の運転開始を可能とする構成が開示されている。
【先行技術文献】
【特許文献】
【０００６】
【特許文献１】特許３０９８０８７号公報
【特許文献２】特開２００５−１０６３５５号公報
【特許文献３】特開２００７−５１７９９号公報
【発明の概要】
【発明が解決しようとする課題】
【０００７】
しかしながら、赤外線、超音波あるいは可視光などを使用する人感センサは、一般に、検知範囲が比較的狭く、人が家屋内に居ても人感センサの死角に入る事態が生じ易い。このため、特許文献１および２に記載の構成のように、人感センサのみの検出結果により空気調和機のタイマ起動による運転を制御する構成では、空気調和機の運転を適切に制御することができない。
【０００８】
また、特許文献３に記載の構成は、ＧＰＳ機能により、ユーザが空気調和機の設置位置を中心とする一定エリア内に居るかどうかを検知し、ユーザが一定エリア内に居る場合に、単に、ユーザによる空気調和機の運転開始の指示を受け付ける構成である。このため、タイマ起動に関する上記問題を解決することができない。
【０００９】
したがって、本発明の一態様は、タイマ起動による運転を適切に制御することができる空気調和機の制御装置の提供を目的としている。
【課題を解決するための手段】
【００１０】
上記の課題を解決するために、本発明の一態様に係る空気調和機の制御装置は、空気調和機の入りタイマの設定に基づく運転開始動作であるタイマ起動を制御する空気調和機の制御装置において、前記空気調和機および携帯端末装置の位置情報を記憶する記憶部と、前記空気調和機および前記携帯端末装置の位置情報から、前記空気調和機を中心とする所定範囲内での前記携帯端末装置の存在の有無を判定する判定部と、位置情報の検知システムが検知した前記携帯端末装置の位置情報を取得する位置情報取得部と、第１モードの動作として、前記入りタイマの設定時刻での前記判定部による判定結果が、存在である場合に、前記タイマ起動を行わせる一方、不在である場合に、前記タイマ起動を停止させる制御部とを備えていることを特徴としている。
【発明の効果】
【００１１】
本発明の一態様によれば、携帯端末装置を所持するユーザが例えば家屋内の人感センサの死角に居るかどうかに関わらず、ユーザの在宅の有無についての正確な検知結果に基づいて、空気調和機のタイマ起動による運転を適切に制御することができる。
【図面の簡単な説明】
【００１２】
【図１】本発明の実施形態の空気調和機の制御装置を備えたエアコン制御システムの構成を示す概略の説明図である。
【図２】図１に示したエアコン制御システムの構成を示すブロック図である。
【図３】図２に示した空気調和機の制御装置によるエアコンに対する制御動作を示すフローチャートである。
【図４】本発明の他の実施形態の空気調和機の制御装置を備えたエアコン制御システムの構成を示す概略の説明図である。
【図５】図４に示した構成における、制御装置のエアコンに対する制御動作を示すフローチャートである。
【図６】本発明のさらに他の実施形態のエアコン制御システムの制御装置によるエアコンに対する制御動作を示すフローチャートである。
【図７】本発明のさらに他の実施形態の空気調和機の制御装置を備えたエアコン制御システムの構成を示す概略の説明図である。
【図８】図７に示した構成における、制御装置のエアコンに対する制御動作を示すフローチャートである。
【図９】本発明のさらに他の実施形態のエアコン制御装置を備えたエアコン制御システム１の構成を示す概略の説明図である。
【図１０】図９に示したエアコン制御装置の動作を示すフローチャートである。
【図１１】本発明のさらに他の実施形態のエアコン制御システムの構成を示すブロック図である。
【発明を実施するための形態】
【００１３】
〔実施形態１〕
本発明の実施形態を図面に基づいて以下に説明する。図１は、本実施形態の空気調和機の制御装置を備えた空気調和機の制御システムの構成を示す概略の説明図である。なお、図１は、ユーザが家屋２１に不在の状態を示している。
【００１４】
（エアコン制御システムの概要）
図１に示すように、本実施形態の空気調和機の制御システム（以下、単にエアコン制御システムと称する）１は、サーバ１１、空気調和機（以下、単にエアコンと称する）１２、無線ＡＰ（アクセスポイント）１３、携帯端末装置１４およびエアコン１２のリモートコントローラ（以下、単にリモコンと称する）を備えている。
【００１５】
サーバ１１は、制御部３３、記憶部３１および通信部３４を備え、無線ＡＰ１３を介してエアコン１２と通信回線（例えばインターネット回線）にて通信し、携帯端末装置１４と通信回線（例えばモバイルネット回線）を介して通信する。サーバ１１は、携帯端末装置１４から、位置情報の検知システム（ＧＰＳ）により検知した携帯端末装置１４の位置情報を取得する。
【００１６】
携帯端末装置１４は、携帯電話、スマートフォン、あるいはタブレット端末等の一般的な携帯端末装置であり、エアコン１２のユーザとして登録済のものである。
【００１７】
エアコン１２は、家屋２１の部屋の中に設置されている。無線ＡＰ１３は、家屋２１の部屋の中のエアコン１２の近傍に設置されている。
【００１８】
エアコン１２は、エアコン１２のタイマ起動（入りタイマ時刻到達によるエアコン１２の起動）を制御する制御装置（空気調和機の制御装置）としての機能を備えている。
【００１９】
エアコン制御システム１では、携帯端末装置１４およびリモコン１５からエアコン１２のタイマ設定をできるようになっている。例えば、エアコン１２の入りタイマ時刻がリモコン１５にて設定された場合、エアコン１２は設定された入りタイマ時刻を記憶する。
【００２０】
（エアコン１２の具体的な構成）
図２は、エアコン制御システム１の構成を示すブロック図である。図２に示すように、エアコン１２は、記憶部４１、判定部４６、制御部（制御部、位置情報取得部）クルユニット４２および人感センサ４５を備えている。記憶部４１、判定部４６、制御部４３および通信部４４は、空気調和機の制御装置（以下、単にエアコン制御装置と称する）を構成している。
【００２１】
記憶部４１は、エアコン１２の位置情報（以下、エアコン位置情報と称する）、エアコン１２のユーザとして登録されている携帯端末装置１４を特定するユーザ端末登録情報、携帯端末装置１４の位置情報（以下、単にユーザ端末位置情報と称する）、および携帯端末装置１４またはリモコン１５により設定されたエアコン１２の入りタイマ時刻を記憶する。
【００２２】
判定部４６は、記憶部４１が記憶するユーザ端末位置情報およびエアコン位置情報に基づき、携帯端末装置１４を所持するユーザが家屋２１に在宅かどうかを判定する。なお、この判定では、エアコン位置情報に基づき、エアコン１２を中心とする所定範囲内（例えば半径１０ｍ以内）に携帯端末装置１４が存在する場合に在宅と判定し、所定範囲内の存在しない場合に不在と判定する。
【００２３】
制御部４３は、エアコン１２の各部の動作を制御するとともに、エアコン１２のタイマ起動を制御する。具体的には、サーバ１１からユーザ端末位置情報を取得し、記憶部４１に格納する。また、制御部４３は、判定部４６の判定結果に基づき、エアコン１２のタイマ起動を制御する。
【００２４】
通信部４４は、前記無線ＡＰ１３を含み、サーバ１１と通信する。冷凍サイクルユニット４２は、エアコン１２が備えている冷暖房等の基本動作を行う。人感センサ４５は、エアコン１２に設けられ、エアコン１２が設置されている部屋におけるユーザの有無を検出する。人感センサ４５の検知範囲は、一般に、家屋２１内のエアコン１２が設置されている部屋内など、比較的狭い範囲である。
【００２５】
（携帯端末装置１４の具体的な構成）
携帯端末装置１４は、記憶部５１、入力部５２、制御部５３、ＧＰＳ（Global Positioning System）機能部５４、通信部５５および表示部５６を有している。記憶部５１は、各種情報を記憶する。入力部５２は、エアコン１２の入りタイマ時刻等の入力を受け付ける。通信部５５は、通信回線によりサーバ１１と通信する。ＧＰＳ機能部５４は、携帯端末装置１４の位置情報を取得する。制御部５３は、入力部５２から入力されたエアコン１２の入りタイマ時刻の情報、およびＧＰＳ機能部５４が取得した携帯端末装置１４の位置情報を通信部５５により通信回線を介してサーバ１１に通知する。表示部５６は例えばタッチパネルを備えた液晶パネルからなり、制御部５３の制御により各種情報を表示する。
【００２６】
なお、携帯端末装置１４およびリモコン１５によるエアコン１２のタイマ設定項目には、毎日、曜日、時間、オン／オフ、運転モード、風量および風向などが含まれる。
【００２７】
（エアコン制御システムの動作）
上記の構成において、エアコン制御システム１の動作について以下に説明する。図３は、本実施形態のエアコン制御装置によるエアコン１２に対しての制御動作を示すフローチャートである。この動作は、サーバ１１の第１モードによる動作である。
【００２８】
図３に示すように、エアコン１２が運転停止の状態において（Ｓ１１）、エアコン１２の入りタイマ時刻に到達すると（Ｓ１２）、判定部４６は、記憶部４１が記憶するユーザ端末位置情報に基づき、ユーザが家屋２１に在宅かどうかを判定する（Ｓ１３）。なお、ユーザ端末位置情報は、例えば入りタイマ時刻の到達時に、制御部４３がサーバ１１から取得する。
【００２９】
Ｓ１３での判定の結果、ユーザが家屋２１に不在であれば、制御部４３は、エアコン１２に対して運転停止状態を維持するように制御する（Ｓ１４）。これにより、エアコン１はタイマ起動を行わず、運転停止状態を維持する。
【００３０】
一方、Ｓ１３での判定の結果、ユーザが在宅であれば、制御部４３は、エアコン１２に運転を開始させる（Ｓ１５）。これにより、エアコン１２はタイマ起動を行う。
【００３１】
（エアコン１２の運転停止状態を維持する場合の動作）
制御部４３は、入りタイマ時刻到達時に、ユーザの不在によりエアコン１２の運転停止状態を維持する場合に、次の動作を行うようにしてもよい。
（１）単純に入りタイマ時刻の設定を無効にする。
（２）エアコン１２を待機状態とする。
（３）入りタイマ時刻を変更する。
【００３２】
上記（２）に示す待機状態は、暖房あるいは冷房等の動作において、すぐに正常運転に移行できるように、冷凍サイクルユニット４２を最低限の消費電力で運転する状態である。このように、エアコン１２を待機状態とするのは、例えば、ユーザによるその後のエアコン１２に対しての運転指示を想定したものである。
【００３３】
上記（３）の入りタイマ時刻を変更する動作は、たとえば、ユーザの帰宅の遅れを想定して、例えば３０分や１時間といった予め設定されている時間だけ、入りタイマ時刻を後へずらす動作である。
【００３４】
なお、制御部４３は、入りタイマ時刻を変更した場合、携帯端末装置１４に対して、入りタイマ時刻の変更結果を示すメッセージを送信するようにしてもよい。この場合、携帯端末装置１４では、サーバ１１からのメッセージを表示部５６に表示させる。
【００３５】
（エアコン制御装置の利点）
本実施形態のエアコン制御装置は、エアコン１２の人感センサ４５によらず、携帯端末装置１４のＧＰＳ機能部５４が取得したユーザ端末位置情報に基づいて、エアコン１２が設置されている家屋２１でのユーザの在宅の有無を判定し、ユーザが不在の場合にエアコン１２をタイマ起動せず、運転停止状態を維持するようにしている。したがって、エアコン制御装置は、ユーザが家屋２１内の人感センサ４５の死角に居るかどうかに関わらず、ユーザの在宅の有無についての正確な検知結果に基づいて、エアコン１２のタイマ起動による運転を適切に制御することができる。
【００３６】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３７】
図４は、本実施形態のエアコン制御装置を備えたエアコン制御システム１の構成を示す概略の説明図である。なお、図４は、ユーザが家屋２１に在宅であるものの、エアコン１２が設置されている１階の部屋とは別の部屋である２階の部屋に居る状態を示している。
【００３８】
（エアコン制御装置の構成）
本実施形態において、エアコン制御装置の判定部４６は、ユーザ端末位置情報に基づき、携帯端末装置１４を所持するユーザが家屋２１に在宅かどうかを判定する。さらに、判定部４６は、人感センサ４５の検知結果に基づいて、エアコン１２が設置されている部屋（以下、単にエアコン設置部屋と称する）にユーザが在室しているかどうかを判定する。エアコン制御装置の他の構成は、前述した実施形態のエアコン制御装置と同様である。
【００３９】
（エアコン制御システム１の動作）
上記の構成において、エアコン制御システム１の動作について以下に説明する。図５は、本実施形態のエアコン制御装置の動作を示すフローチャートである。この動作は、サーバ６１の第２モードによる動作である。
【００４０】
図５に示すように、エアコン１２が運転停止の状態において（Ｓ１１）、エアコン１２の入りタイマ時刻に到達すると（Ｓ１２）、判定部４６は、ユーザ端末位置情報に基づき、ユーザが家屋２１に在宅かどうかを判定する（Ｓ１３）。
【００４１】
Ｓ１３での判定の結果、ユーザが家屋２１に不在であれば、制御部４３は、エアコン１２に対して運転停止状態を維持するように制御する（Ｓ１４）。これにより、エアコン１はタイマ起動を行わず、運転停止状態を維持する。
【００４２】
一方、Ｓ１３での判定の結果、ユーザが在宅であれば、判定部４６は、さらに、人感センサ４５の検知結果により、エアコン１２が設置されている１階の部屋にユーザが在室しているかどうかを判定する（Ｓ２１）。図４に示す状態では、ユーザは２階の部屋に居り、１階のエアコン設置部屋には不在である。したがって、人感センサ４５による検知結果は、エアコン設置部屋でのユーザの不在である。これにより、制御部４３は、エアコン１２に対して運転停止状態を維持するように制御する（Ｓ１４）。
【００４３】
一方、Ｓ２１での判定の結果、エアコン設置部屋にユーザが居る場合、制御部４３は、エアコン１２に対してタイマ起動を行うように制御する（Ｓ１５）。
【００４４】
（エアコン制御装置の利点）
エアコン制御装置は、携帯端末装置１４のＧＰＳ情報に基づいて、エアコン１２が設置されている家屋２１にユーザが在宅の場合であっても、エアコン設置部屋にユーザが不在の場合には、エアコン１２がタイマ起動せず、運転停止状態を維持するように制御する。すなわち、エアコン１２が設置されている家屋２１にユーザが在宅であり、かつエアコン設置部屋にユーザが在室の場合に、タイマ起動によりエアコン１２が運転されるようにしている。
【００４５】
したがって、ユーザがエアコン設置部屋に不在の場合の不要なエアコン１２の運転を防止し、エアコン１２のタイマ起動による運転をさらに適切に制御することができる。
【００４６】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４７】
（エアコン制御装置の構成）
本実施形態のエアコン制御装置では、携帯端末装置１４から通知設定ができるようになっている。通知設定が行われている場合、エアコン制御装置は、入りタイマ時刻にユーザが家屋２１に不在のためにタイマ起動をしないと決定をした場合に、携帯端末装置１４に対してエアコン１２の運転（タイマ起動）に関する複数の選択肢を含む問い合わせのメッセージを通知する。その後、エアコン制御装置は、このメッセージに対して、携帯端末装置１４からいずれかの選択肢を選択した返信を受けると、選択された内容に従ってエアコン１２を制御する。
【００４８】
（エアコン制御システムの動作）
上記の構成において、本実施形態のエアコン制御システム１の動作について以下に説明する。図６は、エアコン１２に対するエアコン制御装置の動作を示すフローチャートである。この動作は、サーバ６２の第３モードによる動作である。
【００４９】
図６に示すように、エアコン１２が運転停止の状態において（Ｓ３１）、エアコン１２の入りタイマ時刻に到達すると（Ｓ３２）、判定部４６は、ユーザ端末位置情報に基づき、ユーザが家屋２１に在宅かどうかを判定する（Ｓ３３）。
【００５０】
Ｓ３３での判定の結果、ユーザが在宅であれば、制御部４３は、エアコン１２に対してタイマ起動による運転をするように制御する（Ｓ３４）。これにより、エアコン１２は、運転を開始する。
【００５１】
また、Ｓ３３での判定の結果、ユーザが家屋２１に不在であれば、判定部４６は、通知設定が登録されているかどうかを判定する（Ｓ３５）。この判定の結果、通知設定が登録されていなければ、制御部４３は、エアコン１２に対して運転停止状態を維持するように制御する（Ｓ３６）。
【００５２】
一方、Ｓ３５での判定の結果、通知設定が登録されていれば、制御部４３は、携帯端末装置１４に対して、複数の選択肢を含む問い合わせのメッセージを通知する（Ｓ３７）。このメッセージは、サーバ１１を介して携帯端末装置１４に通知させる。この場合の選択肢は、（ａ）入りタイマ時刻に従って「タイマ起動を開始する」、（ｂ）「省電力運転を行う」、（ｃ）「入りタイマ時刻を変更する」、（ｄ）「タイマ起動を停止する」、である。
【００５３】
その後、携帯端末装置１４から、（ａ）入りタイマ時刻に従って「タイマ起動を開始する」を選択するという返信があると（Ｓ３８）、制御部４３は、エアコン１２に対して、入りタイマ時刻に従ってタイマ起動を開始するように制御する（Ｓ３９）。これにより、エアコン１２は、運転を開始する。
【００５４】
また、携帯端末装置１４から、（ｂ）「省電力運転を行う」を選択するという返信があると（Ｓ４０）、制御部４３は、エアコン１２に対して、省電力運転を行うように制御する（Ｓ４１）。これにより、エアコン１２は、省電力運転を行う。この省電力運転は、例えば前述した、エアコン１２の待機状態に相当する運転である。
【００５５】
また、携帯端末装置１４から、（ｃ）「入りタイマ時刻を変更する」を選択するという返信があると（Ｓ４２）、制御部４３は、エアコン１２に対して、入りタイマ時刻を変更する（Ｓ４３）。これにより、エアコン１２は、例えば予め設定さえた３０分、あるいは１時間といった単位にて入りタイマ時刻を変更する。
【００５６】
また、携帯端末装置１４から、（ｄ）「タイマ起動を停止する」を選択するという返信があると（Ｓ４４）、制御部４３は、エアコン１２に対して、タイマ起動を停止するように制御する（Ｓ４５）。これにより、エアコン１２は、タイマ起動を停止、運転停止状態を維持する。
【００５７】
（エアコン制御装置の利点）
エアコン制御装置は、携帯端末装置１４のＧＰＳ情報に基づいて、エアコン１２が設置されている家屋２１において、入りタイマ時刻にユーザが不在であれば、エアコン１２の停止状態を維持する。
【００５８】
一方、エアコン制御装置は、携帯端末装置１４から通知設定が登録されている場合、エアコン１２が設置されている家屋２１において、入りタイマ時刻にユーザが不在であれば、携帯端末装置１４に対してタイマ起動に関する問い合わせを行い、携帯端末装置１４からの返信に従ってエアコン１２のタイマ起動を制御するようになっている。したがって、エアコン制御装置、ユーザがエアコン設置部屋に不在の場合の不要なエアコン１２の運転を防止するとともに、エアコン１２のタイマ起動に関し、ユーザの選択に応じた多様な制御が可能となっている。これにより、エアコン制御装置は、エアコン１２のタイマ起動による運転をさらに適切に制御することができる。
【００５９】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６０】
図７は、本実施形態のエアコン制御装置を備えたエアコン制御システム１の構成を示す概略の説明図である。
【００６１】
（エアコン制御装置の構成）
エアコン制御装置は、複数の携帯端末装置１４からのエアコン１２のタイマ設定を受け付けるようになっている。また、エアコン制御装置は、前述したエアコン制御装置と同様、携帯端末装置１４から登録された通知設定に対応する動作を行うようになっている。
【００６２】
（エアコン制御システム１の動作）
上記の構成において、エアコン制御システム１の動作について以下に説明する。図８は、エアコン１２に対するサーバ６３の制御動作を示すフローチャートである。ここでは、図７に示す二つの携帯端末装置１４の各ユーザを第１ユーザおよび第２ユーザとする。
【００６３】
図８に示すように、エアコン１２が運転停止の状態において（Ｓ３１）、エアコン１２の入りタイマ時刻に到達すると（Ｓ３２）、判定部４６は、ユーザ端末位置情報に基づき、エアコン１２と第１ユーザ（第１の携帯端末装置１４）および第２ユーザ（第２の携帯端末装置１４）の距離と判定する。すなわち、エアコン１２と第１ユーザ（第１の携帯端末装置１４）の距離と、エアコン１２と第２ユーザ（第２の携帯端末装置１４）の距離とを比較し、どちらのユーザがエアコン１２に近いかを判定する（Ｓ５１）。
【００６４】
Ｓ５１での判定の結果、第１ユーザの方がエアコン１２に近ければ（Ｓ５２）、第１ユーザが家屋２１に在宅かどうかを判定する（Ｓ５３）。Ｓ５３での判定の結果、第１ユーザが在宅であれば、制御部４３は、エアコン１２に対してタイマ起動による運転を指示する（Ｓ３４）。これにより、エアコン１２は、運転を開始する。
【００６５】
また、Ｓ５１での判定の結果、第２ユーザの方がエアコン１２に近ければ（Ｓ５２）、判定部４６は、第２ユーザが家屋２１に在宅かどうかを判定する（Ｓ５４）。Ｓ５４での判定の結果、第１ユーザが在宅であれば、サーバ６３の制御部４３は、エアコン１２に対してタイマ起動による運転をするように制御する（Ｓ３４）。これにより、エアコン１２は、運転を開始する。
【００６６】
一方、第１ユーザまたは第２ユーザのどちらも家屋２１に不在であれば、判定部４６は、通知設定が登録されているかどうかを判定する（Ｓ３５）。この判定の結果、通知設定が登録されていなければ、制御部４３は、エアコン１２に対して運転停止状態を維持することを指示する（Ｓ３６）。
【００６７】
一方、Ｓ３５での判定の結果、通知設定が登録されていれば、制御部４３は、各携帯端末装置１４に対して、複数の選択肢を含むメッセージを通知する（Ｓ３７）。このＳ３７以降の動作は、図６に示したエアコン制御装置の動作と同様であり、説明を省略する。
【００６８】
（エアコン制御装置の利点）
エアコン制御装置は、複数のユーザのいずれかが家屋２１に在宅である場合に、入りタイマ時刻の設定に基づいて、タイマ起動を行うようにエアコン１２を制御する。これにより、複数のユーザが存在する場合であってもタイマ起動に適切に対応することができる。この場合、家屋２１に在室しているユーザが入りタイマを設定したユーザであるかどうかは問わない。
【００６９】
また、携帯端末装置１４から通知設定が登録されている場合のエアコン制御装置の利点については、前述したエアコン制御装置と同様である。これにより、エアコン制御装置は、エアコン１２のタイマ起動による運転をさらに適切に制御することができる。
【００７０】
なお、エアコン制御装置は、複数のユーザからそれぞれエアコン１２の入りタイマの設定があった場合に、エアコン１２に一番近いユーザからのタイマ設定を優先する構成としてもよい。
【００７１】
あるいは、エアコン制御装置は、複数のユーザからそれぞれエアコン１２の入りタイマの設定があった場合に、入りタイマ時刻が一番早い設定を優先する構成としてもよい。
【００７２】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００７３】
図９は、本実施形態のエアコン制御装置を備えたエアコン制御システム１の構成を示す概略の説明図である。なお、図９は、携帯端末装置１４を所持したユーザが家屋２１に不在であるものの、携帯端末装置１４を所持しない人が家屋２１のエアコン設置部屋に在室する状態を示している。
【００７４】
（エアコン制御装置の構成）
本実施形態において、エアコン制御装置の判定部４６は、ユーザ端末位置情報に基づいて、携帯端末装置１４を所持するユーザが家屋２１に在宅かどうか判定する。また、判定部４６は、人感センサ４５の検知結果に基づいて、人が家屋２１のエアコン設置部屋に在室するかどうかを判定する。この場合の人は、エアコン１２に登録された携帯端末装置１４を所持しないユーザである。
【００７５】
制御部４３は、判定部４６の判定結果に基づき、携帯端末装置１４を所持するユーザが家屋２１に在宅である場合、および人がエアコン設置部屋に在室である場合に、タイマ起動を行うようにエアコン１２を制御する。一方、制御部４３は、携帯端末装置１４を所持するユーザが家屋２１に不在であり、かつ人がエアコン設置部屋に不在である場合に、タイマ起動を行わないようにエアコン１２を制御する。エアコン制御装置の他の構成は、前述した実施形態のエアコン制御装置と同様である。
【００７６】
（エアコン制御システム１の動作）
上記の構成において、エアコン制御システム１の動作について以下に説明する。図１０は、本実施形態のエアコン制御装置の動作を示すフローチャートである。
【００７７】
図１０に示すように、エアコン１２が運転停止の状態において（Ｓ１１）、エアコン１２の入りタイマ時刻に到達すると（Ｓ１２）、判定部４６は、ユーザ端末位置情報に基づき、ユーザが家屋２１に在宅かどうかを判定する（Ｓ１３）。
【００７８】
Ｓ１３での判定の結果、ユーザが家屋２１に在宅であれば、制御部４３は、エアコン１２に対してタイマ起動を行うように制御する（Ｓ６２）。これにより、エアコン１２は、運転を開始する。
【００７９】
一方、Ｓ１３での判定の結果、ユーザが家屋２１に不在であれば、判定部４６は、人感センサ４５の検出結果に基づき、人がエアコン設置部屋に在室であるかどうかを判定する（Ｓ６１）。
【００８０】
Ｓ６１での判定の結果、人がエアコン設置部屋に在室であれば、制御部４３は、エアコン１２に対してタイマ起動を行うように制御する（Ｓ６２）。これにより、エアコン１２は、運転を開始する。
【００８１】
また、Ｓ６１での判定の結果、人がエアコン設置部屋に不在であれば、制御部４３は、エアコン１２に対して運転停止状態を維持するように制御する（Ｓ６３）。これにより、エアコン１はタイマ起動を行わず、運転停止状態を維持する。
【００８２】
（エアコン制御装置の利点）
エアコン制御装置は、携帯端末装置１４を所持するユーザが家屋２１に在宅である場合、および携帯端末装置１４を所持しない人がエアコン設置部屋に在室している場合に、タイマ起動を行うようにエアコン１２を制御する。
【００８３】
したがって、エアコン１２は、携帯端末装置１４を所持するユーザが家屋２１に不在であっても、人がエアコン設置部屋に在室している場合には、タイマ起動を行うことができる。
【００８４】
〔実施形態６〕
本発明のさらに他の実施形態を図面に基づいて以下に説明する。なお、説明の便宜上、前記実施形態にて説明した部材と同じ機能を有する部材については、同じ符号を付記し、その説明を省略する。
【００８５】
図１１は、本実施形態のエアコン制御システム１の構成を示すブロック図である。以上の実施形態では、エアコン１２が、空気調和機の制御装置としてのエアコン制御装置を備え、携帯端末装置１４のＧＰＳ情報に基づいて、家屋２１でのユーザの在宅の有無を判定し、かつその判定結果に基づいてエアコン１２に対してタイマ起動を制御する構成について説明した。
【００８６】
しかしながら、空気調和機の制御装置の構成は、エアコン１２に代えてサーバ１１が備えていてもよい。
【００８７】
この場合、サーバ１１は、図１１に示すように、エアコン１２の記憶部４１に対応する記憶部３１、判定部４６に対応する判定部３２、および制御部４３に対応する制御部３３を備え、制御部３３がエアコン１２のタイマ起動を制御する。
【００８８】
また、空気調和機の制御装置としての機能は、エアコン１２に対して外付が可能装置や後付が可能な装置が備えていてもよい。
【００８９】
〔実施形態７〕
エアコン制御装置の制御ブロックは、集積回路（ＩＣチップ）等に形成された論理回路（ハードウェア）によって実現してもよいし、ＣＰＵ（Central Processing Unit）を用いてソフトウェアによって実現してもよい。
【００９０】
後者の場合、エアコン制御装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９１】
〔まとめ〕
本発明の態様１に係る空気調和機の制御装置は、空気調和機（エアコン１２）の入りタイマの設定に基づく運転開始動作であるタイマ起動を制御する空気調和機の制御装置において、前記空気調和機および携帯端末装置１４の位置情報を記憶する記憶部３１と、前記空気調和機および前記携帯端末装置１４の位置情報から、前記空気調和機の周りの所定範囲（家屋２１）内での前記携帯端末装置１４の存在の有無を判定する判定部３２と、
位置情報の検知システム（ＧＰＳ）が検知した前記携帯端末装置１４の位置情報を取得する位置情報取得部（制御部３３）と、第１モードの動作として、前記入りタイマの設定時刻での前記判定部３２による判定結果が、存在である場合に、前記タイマ起動を行わせる一方、不在である場合に、前記タイマ起動を停止させる制御部３３とを備えている。
【００９２】
上記の構成によれば、空気調和機の制御装置（サーバ１１）の判定部３２は、例えば空気調和機が備える人感センサによらず、空気調和機の位置情報、および位置情報の検知システム（ＧＰＳ）が検知した携帯端末装置１４の位置情報から、空気調和機の周りの所定範囲（家屋２１）内での携帯端末装置１４の存在の有無を判定する。
【００９３】
制御部３３は、第１モードの動作として、入りタイマの設定時刻での、空気調和機の周りの所定範囲内での携帯端末装置１４の存在の有無について、判定部３２による判定結果が、存在である場合に、空気調和機（エアコン１２）のタイマ起動を行わせる一方、不在である場合に、空気調和機（エアコン１２）のタイマ起動を停止させる。
【００９４】
これにより、空気調和機の制御装置は、携帯端末装置１４を所持するユーザが例えば家屋２１内の人感センサ４５の死角に居るかどうかに関わらず、ユーザの在宅の有無についての正確な検知結果に基づいて、空気調和機のタイマ起動による運転を適切に制御することができる。
【００９５】
本発明の態様２に係る空気調和機の制御装置は、上記態様１において、前記空気調和機（エアコン１２）は人感センサ４５を備え、前記判定部３２は、前記所定範囲内での前記携帯端末装置１４の存在の有無についての前記判定動作である第１の判定、および前記人感センサ４５による人の存在の有無の判定動作である第２の判定を行い、前記制御部３３は、第２モードの動作として、前記第１の判定による判定結果が存在であり、かつ前記第２の判定による判定結果が存在である場合に、前記タイマ起動を行わせる一方、前記第１の判定による判定結果が不在である場合、および第２の判定結果が不在である場合に、前記タイマ起動を停止させる構成としてもよい。
【００９６】
上記の構成によれば、判定部３２は、空気調和機（エアコン１２）の周りの所定範囲内での携帯端末装置１４の存在の有無についての前記判定動作である第１の判定を行う。また、人感センサ４５による人の存在の有無の判定動作である第２の判定を行う。制御部３３は、第２モードの動作として、第１の判定による判定結果が存在（空気調和機の周りの所定範囲内に携帯端末装置１４が存在する）であり、かつ第２の判定による判定結果が存在（人感センサ４５により人が検知された）である場合に、タイマ起動を行わせる。
【００９７】
したがって、例えば家屋２１に携帯端末装置１４を所持するユーザが在宅であり、かつエアコン１２が設定されている部屋にユーザが居る場合に、空気調和機のタイマ起動が行われる。
【００９８】
一方、制御部３３は、第１の判定による判定結果が不在（空気調和機の周りの所定範囲内に携帯端末装置１４の存在しない）である場合、および第２の判定結果が不在（人感センサ４５により人が検知されない）である場合に、タイマ起動を停止させる。
【００９９】
したがって、例えば家屋２１に携帯端末装置１４を所持するユーザが不在である場合には、空気調和機のタイマ起動が行われない。また、例えば家屋２１に携帯端末装置１４を所持するユーザが在宅であっても、エアコン１２が設定されている部屋にユーザが居ない場合（例えば、ユーザが、空気調和機が設置されている１階の部屋ではなく、２階の部屋にいる場合）、空気調和機のタイマ起動が行われない。
【０１００】
これにより、ユーザが空気調和機の設置部屋に不在の場合の不要な空気調和機の運転を防止し、空気調和機のタイマ起動による運転をさらに適切に制御することができる。
【０１０１】
本発明の態様３に係る空気調和機の制御装置は、上記態様１において、前記制御部３３は、第３モードの動作として、前記携帯端末装置１４からの通知設定の登録を受け付け、前記通知設定が登録されており、かつ前記判定部３２による判定結果が不在である場合に、前記携帯端末装置１４に対し、設定済みの入りタイマによるタイマ起動、前記空気調和機（エアコン１２）の省電力運転、設定済みの入りタイマの時刻の遅い時刻への変更、および前記空気調和機の運転停止の維持のうちの少なくとも一つの選択肢を含む問い合わせのメッセージを前記携帯端末装置１４へ通知し、前記選択肢についての選択結果を含む前記携帯端末装置１４からの返信に応じて、前記空気調和機のタイマ起動を制御する構成としてもよい。
【０１０２】
上記の構成によれば、制御部３３は、第３モードの動作として、通知設定が登録されており、かつ判定部３２による判定結果が不在である場合に、携帯端末装置１４に対し、設定済みの入りタイマによるタイマ起動、空気調和機の省電力運転、設定済みの入りタイマの時刻の遅い時刻への変更、および空気調和機の運転停止の維持のうちの少なくとも一つの選択肢を含む問い合わせのメッセージを前記携帯端末装置１４へ通知する。その後、制御部３３は、送信したメッセージに対して、選択肢についての選択結果を含む返信を携帯端末装置１４から受信すると、その選択結果に応じて、空気調和機のタイマ起動を制御する。
【０１０３】
これにより、入りタイマ時刻にユーザが家屋２１に不在である場合に、そのときのユーザの意向を反映したタイマ起動を空気調和機に行わせることができる。
【０１０４】
本発明の態様４に係る空気調和機の制御装置は、上記態様１から３のいずれか１態様において、前記判定部３２は、前記携帯端末装置１４が複数台存在する場合に、前空気調和機（エアコン１２）に最も近い携帯端末装置１４について、前記所定範囲内での前記携帯端末装置１４の存在の有無についての前記判定動作を行う構成としてもよい。
【０１０５】
上記の構成によれば、携帯端末装置１４を所持する複数のユーザが存在する場合であっても、空気調和機のタイマ起動に適切に対応することができる。
【０１０６】
本発明の態様５に係る空気調和機の制御方法は、空気調和機の入りタイマの設定に基づく運転開始動作であるタイマ起動を制御する空気調和機の制御方法において、位置情報の検知システムが検知した携帯端末装置の位置情報を取得する位置情報取得工程と、前記空気調和機および前記携帯端末装置の位置情報から、前記空気調和機を中心とする所定範囲内での前記携帯端末装置の存在の有無を判定する判定工程と、第１モードの動作として、前記判定工程による、前記入りタイマの設定時刻での前記所定範囲内での前記携帯端末装置の存在の有無の判定結果が、存在である場合に、前記タイマ起動を行わせる一方、不在である場合に、前記タイマ起動を停止させる制御工程とを備えている。
【０１０７】
上記の構成によれば、前記態様１と同様の作用効果を奏する。
【０１０８】
本発明の各態様に係る空気調和機の制御装置は、コンピュータによって実現してもよく、この場合には、コンピュータを上記空気調和機の制御装置が備える各部（ソフトウェア要素）として動作させることにより上記空気調和機の制御装置をコンピュータにて実現させる空気調和機の制御装置のプログラム、およびそれを記録したコンピュータ読み取り可能な記録媒体も、本発明の範疇に入る。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１０】
１    エアコン制御システム
１１    サーバ
１２    エアコン（空気調和機）
１４    携帯端末装置
２１    家屋
４１    記憶部（空気調和機の制御装置）
４２    冷凍サイクルユニット
４３    制御部（位置情報取得部、空気調和機の制御装置）
４４    通信部（空気調和機の制御装置）
４５    人感センサ
４６    判定部（空気調和機の制御装置）
５４    ＧＰＳ機能部
【図１】
2018146179.tif 000003
【図２】
2018146179.tif 000004
【図３】
2018146179.tif 000005
【図４】
2018146179.tif 000006
【図５】
2018146179.tif 000007
【図６】
2018146179.tif 000008
【図７】
2018146179.tif 000009
【図８】
2018146179.tif 000010
【図９】
2018146179.tif 000011
【図１０】
2018146179.tif 000012
【図１１】
2018146179.tif 000013